(57)【特許請求の範囲】
【請求項１】
室内の壁面又は床面に凹所が設けられると共に、該凹所にポータブル電源装置が取り出し可能に収容されており、
該ポータブル電源装置は、蓄電池を備え、該ポータブル電源装置に備えられた接続部と凹所のがわに備えられた接続部とが、ポータブル電源装置を凹所内に収容状態にセットすることによりコードレスで接続されて、前記蓄電池が商用電源類によって充電されるようになされており、かつ、
前記ポータブル電源装置には、凹所内への収容状態において室内に面する部位にコンセントが備えられ、
ポータブル電源装置を凹所から取り出した状態で、電気機器を前記コンセントに接続することにより、該電気機器は、前記蓄電池に蓄電された電気によって駆動するようになされていると共に、
ポータブル電源装置を凹所内に収容した接続部接続状態で、電気機器を前記コンセントに接続することにより、該電気機器が商用電源類からの電気によって駆動するようになされて、凹所内に収容されたポータブル電源装置のコンセントを宅内コンセントとして用いることができるようになされていることを特徴とするポータブル電源システム。
【請求項２】
凹所のがわに、商用電源類と接続部とをつなぐ配線に開閉スイッチが設けられると共に、ポータブル電源装置のがわに、蓄電池と接続部とをつなぐ配線に開閉スイッチが設けられ、接続部同士の接続の有無に関する接点信号を受けて、接続部同士が接続されたとき、前記各開閉スイッチを閉じ、接続部同士の接続が解除されたとき、前記各開閉スイッチを開く制御を行う制御部が備えられている請求項１に記載のポータブル電源システム。
【請求項３】
前記商用電源類からの電気が、商用電源からの電気と、太陽光発電システムによって発電された電気とを含み、太陽光発電システムによって発電された余剰電力の電気が存在するとき、該余剰電力の電気が、商用電源からの電気に優先して前記ポータブル電源装置の蓄電池の充電に使用される制御が行われるようになされている請求項１又は２に記載のポータブル電源システム。
【発明の詳細な説明】
【技術分野】
【０００１】
本発明は、ポータブル電源システムに関する。
【背景技術】
【０００２】
蓄電池を内蔵したポータブル電源装置は、従来より提供されている。
【先行技術文献】
【特許文献】
【０００３】
【特許文献１】特開平５−３２８６２０号公報
【発明の概要】
【発明が解決しようとする課題】
【０００４】
しかしながら、上記のようなポータブル電源装置では、充電をするのに、宅内の適当な位置にポータブル電源装置を置き、ポータブル電源装置と宅内の電源コンセントとを電気コードで接続しなければならず、充電中、ポータブル電源装置が宅内のスペースを占有して邪魔であるという問題があった。
【０００５】
本発明は、上記のような問題点に鑑み、充電中、ポータブル電源装置が邪魔になるのを防ぐことができるのはもちろん、その他、種々の利便性を兼ね備えたポータブル電源システムを提供することを課題とする。
【課題を解決するための手段】
【０００６】
上記の課題は、室内に面する面部に凹所が設けられると共に、該凹所にポータブル電源装置が取り出し可能に収容されており、
該ポータブル電源装置は、蓄電池を備え、該ポータブル電源装置に備えられた接続部と凹所のがわに備えられた接続部とが、ポータブル電源装置を凹所内に収容状態にセットすることによりコードレスで接続されて、前記蓄電池が商用電源類によって充電されるようになされており、かつ、
前記ポータブル電源装置には、凹所内への収容状態において室内に面する部位にコンセントが備えられ、
ポータブル電源装置を凹所から取り出した状態で、電気機器を前記コンセントに接続することにより、該電気機器は、前記蓄電池に蓄電された電気によって駆動するようになされていると共に、
ポータブル電源装置を凹所内に収容した接続部接続状態で、電気機器を前記コンセントに接続することにより、該電気機器が商用電源類からの電気によって駆動するようになされていることを特徴とするポータブル電源システムによって解決される（第１発明）。
【０００７】
このシステムでは、室内に面する面部に凹所が設けられると共に、該凹所にポータブル電源装置が取り出し可能に収容されており、ポータブル電源装置に備えられた接続部と凹所のがわに備えられた接続部とが、ポータブル電源装置を凹所内に収容状態にセットすることによりコードレスで接続されて、ポータブル電源装置の蓄電池が商用電源類によって充電されるようになされているので、充電中、ポータブル電源装置が宅内を占有して邪魔になったり、コードに足を引っ掛けるなどの不都合を生じるのを防ぐことができる。
【０００８】
しかも、ポータブル電源装置には、凹所内への収容状態において室内に面する部位にコンセントが備えられ、ポータブル電源装置を凹所内に収容した接続部接続状態で、電気機器を該コンセントに接続することにより、該電気機器が商用電源類からの電気によって駆動するようになされているので、凹所内へ収容されたポータブル電源装置のコンセントを宅内コンセントとして用いることができて、無駄のない合理的なコンセントシステムを実現することができる。
【０００９】
第１発明において、凹所のがわに、商用電源類と接続部とをつなぐ配線に開閉スイッチが設けられると共に、ポータブル電源装置のがわに、蓄電池と接続部とをつなぐ配線に開閉スイッチが設けられ、接続部同士の接続の有無に関する接点信号を受けて、接続部同士が接続されたとき、前記各開閉スイッチを閉じ、接続部同士の接続が解除されたとき、前記各開閉スイッチを開く制御を行う制御部が備えられているのもよい（第２発明）。
【００１０】
この場合は、凹所からポータブル電源装置を取り出した状態で、ポータブル電源装置がわの接続部に触れたり、凹所がわの接続部に触れたりしても感電することがなく、凹所からポータブル電源装置を取り出した状態で安全性を高いものにすることができる。
【００１１】
第１，第２発明において、前記商用電源類からの電気が、商用電源からの電気と、太陽光発電システムによって発電された電気とを含み、太陽光発電システムによって発電された余剰電力の電気が存在するとき、該余剰電気が、商用電源からの電気に優先して前記ポータブル電源装置の蓄電池の充電に使用される制御が行われるようになされているのもよい（第３発明）。
【００１２】
この場合は、太陽光発電システムによって発電された余剰電力の電気を、ポータブル電源装置の蓄電池の充電に有効利用することができる。
【発明の効果】
【００１３】
本発明ポータブル電源システムは、以上のとおりのものであるから、充電中、ポータブル電源装置が邪魔になるのを防ぐことができ、しかも、無駄のない合理的なコンセントシステムを実現することができる。
【図面の簡単な説明】
【００１４】
【図１】実施形態のポータブル電源システムを示すもので、図（イ）はポータブル電源装置を凹所から取り出した状態の斜視図、図（ロ）はポータブル電源装置を凹所内に収容した状態の斜視図、図（ハ）はポータブル電源装置の拡大斜視図である。
【図２】図（イ）はポータブル電源装置を凹所内に収容した状態の側面図、図（ロ）は接続部の側面図、図（ハ）は接続方向を示す側面図である。
【図３】図（イ）は安全機構の電気回路図、図（ロ）は商用電源類を構成する電気の選択に関係するフローチャート図である。
【発明を実施するための形態】
【００１５】
次に、本発明の実施形態を図面に基づいて説明する。
【００１６】
図１〜図３に示す実施形態のポータブル電源システムにおいて、１は凹所、２はポータブル電源装置である。凹所１は、宅内において、室内に面する壁面３の低所に設けられており、ポータブル電源装置２は、この凹所１に正面がわから、取り出しできるように、収容されている。
【００１７】
そして、ポータブル電源装置２には、図３（イ）に示すように、蓄電池２ａが内蔵されており、また、図２に示すように、ポータブル電源装置２にはその背面部がわに接続部２ｂが備えられると共に、凹所１がわにもそれに対応して接続部１ａが備えられ、これら接続部２ｂ，１ａ同士が、ポータブル電源装置２を凹所１内にその正面がわより収容状態にセットすることにより、コードレスで接続されて、蓄電池２ａが商用電源類４によって充電されるようになされている。２ｃはインバーターである。
【００１８】
本実施形態では、商用電源類４からの電気が、商用電源からの電気と、太陽光発電システムによって発電された電気とからなっていて、図３（ロ）にステップＳ１〜Ｓ４に示すように、太陽光発電システムによって発電された余剰電力の電気が存在するとき、該余剰電気が、商用電源からの電気に優先してポータブル電源装置２の蓄電池２ａの充電に使用される制御が行われるようになされている。
【００１９】
また、ポータブル電源装置２には、凹所１内への収容状態において室内に面する部位、即ちポータブル電源装置２の正面部には、コンセント２ｄ，２ｄが備えられており、
ポータブル電源装置２を凹所１から取り出した状態で、電気機器をコンセント２ｄに接続することにより、該電気機器は、前記蓄電池２ａに蓄電された電気によって駆動するようになされており、
ポータブル電源装置２を凹所１内に収容した接続部２ｂ，１ａ同士接続状態において、電気機器をコンセント２ｄに接続することができ、かつ、その接続によって、電気機器が商用電源類４からの電気によって駆動するようになされている。
【００２０】
なお、図１（ハ）に示すポータブル電源装置２において、２ｆは蓄電されている電気の残量を示すインジケータ、２ｅは充電中か否かを示すインジケータ、２ｇは取手である。
【００２１】
更に、本実施形態では、図３（イ）に示すように、凹所１のがわに、商用電源類４と接続部１ａとをつなぐ配線に開閉スイッチ１ｂが設けられると共に、ポータブル電源装置２のがわに、蓄電池２ａと接続部２ｂとをつなぐ配線に開閉スイッチ２ｈが設けられ、図示しない制御部が、接続部２ｂ，１ａ同士の接続の有無に関する接点信号を受けて、接続部２ｂ，１ａ同士が接続されたとき、各開閉スイッチ１ｂ，２ｈを閉じ、接続部２ｂ，１ａ同士の接続が解除されたとき、各開閉スイッチ１ｂ，２ｈを開く制御を行うようになされている。
【００２２】
このように、上記のポータブル電源システムでは、充電中は、ポータブル電源装置２が凹所１内に収容状態にセットされて接続部２ｂ，１ａ同士がコードレスで接続されるようになされているので、ポータブル電源装置２が宅内を占有して邪魔になったり、コードに足を引っ掛けるなどの不都合を生じるのを防ぐことができる。
【００２３】
しかも、ポータブル電源装置２に備えられているコンセント２ｄは、ポータブル電源装置２を凹所１内に収容した接続部２ｂ，１ａ同士接続状態において、室内に面するように備えられていて、電気機器を該コンセント２ｄに接続することにより、該電気機器を駆動することができるようになされているので、凹所１内へ収容されたポータブル電源装置２のコンセント２ｄを宅内コンセントとして用いることができて、無駄のない合理的なコンセントシステムを実現することができる。
【００２４】
また、開閉スイッチ１ｂ，２ｈと制御部との採用により、凹所１からポータブル電源装置２を取り出した状態で、ポータブル電源装置２がわの接続部２ｂに触れたり、凹所１がわの接続部１ａに触れたりしても感電するおそれがなく、凹所１からポータブル電源装置２を取り出した状態で安全性を高いものにすることができる。
【００２５】
以上に、本発明の実施形態を示したが、本発明はこれに限られるものではなく、発明思想を逸脱しない範囲で各種の変更が可能である。例えば、上記の実施形態では、商用電源類からの電気が、商用電源からの電気であったり、太陽光発電システムによって発電された電気であったりする場合を示したが、深夜電力利用等の定置式充電装置からの電気であってもよい。また、上記の実施形態では、凹所の設けられる室内に面する面部が壁面である場合を示したが、床面等であってもよい。
【符号の説明】
【００２６】
１…凹所
１ａ…接続部
１ｂ…開閉スイッチ
２…ポータブル電源装置
２ａ…蓄電池
２ｂ…接続部
２ｄ…コンセント
２ｈ…開閉スイッチ
３…壁面
４…商用電源類
【図１】
0005548027.tif 000002
【図２】
0005548027.tif 000003
【図３】
0005548027.tif 000004